Podtech/llm-jp-corpus-v4-ja_patent huggingface dataset:
(57)【要約】      （修正有）【課題】本考案は、吸収層に複数の環形の瞬時吸引層が等間隔に突起することにより、ペットの尿液が比較的多くて吸収できない場合でも、環形の瞬時吸引層が幾重にもの遮断作用を果たし、ペットの尿液を吸収層に限定させ、ペットの尿液が尿パッドの表面を拡散することを防止する環形の瞬時吸引層付ペット用尿パッドを提供する。【解決手段】本考案の環形の瞬時吸引層付ペット用尿パッドは、層状構造の尿パッド主体を含み、前記尿パッド主体は、上から下に順に不織布被覆層と吸収層２とを備え、吸収層２に複数の同心環形の瞬時吸引層３が等間隔に突起する。【選択図】図１
0003206299.tif 000002
【実用新案登録請求の範囲】
【請求項１】
層状構造の尿パッド主体を含み、前記尿パッド主体は、上から下に順に不織布被覆層（１）と吸収層（２）とを備え、前記吸収層（２）に複数の同心環形の瞬時吸引層（３）が等間隔に突起することを特徴とする環形の瞬時吸引層付ペット用尿パッド。
【請求項２】
前記環形の瞬時吸引層（３）は、高分子吸水樹脂から構成されることを特徴とする請求項１に記載の環形の瞬時吸引層付ペット用尿パッド。
【請求項３】
前記環形の瞬時吸引層（３）の吸水能力は、前記吸収層（２）の吸水能力よりも高いことを特徴とする請求項１に記載の環形の瞬時吸引層付ペット用尿パッド。
【請求項４】
前記不織布被覆層（１）は、前記吸収層（２）の外縁にオーバーラップすることを特徴とする請求項１に記載の環形の瞬時吸引層付ペット用尿パッド。
【考案の詳細な説明】
【技術分野】
【０００１】
本考案は、ペット用品に属し、特に環形の瞬時吸引層付ペット用尿パッドに関する。
【背景技術】
【０００２】
現在、人々の生活水平の向上により、猫、犬等のペットが人々の生活に入り始め、且つ地位がますます高くなり、ペットへの衛生要求もますます高くなっている。しかし、日常生活で、ペットの排泄物の処理は、大変面倒であり、所有者が大きい努力で解決する必要がある。環境を保護し、ペットの安息場所をより快適にし、ペットの獣権需要を満たし、更にペットを掃除する煩雑な労動を減少させるために、ペットの飼育時に、ペット用尿パッドを使用している人が多くなっている。従来のペット用尿パッドは、不織布表面被覆層を含み、前記不織布表面被覆層の下面に、パルプ、ＰＰ繊維及び高吸水分子を混合して作製される吸収層が設置され、吸収層の外側面にＰＥ膜からなる底部漏洩防止層が設置される。ペット用尿パッドの中心位置にあるこのようなペット用尿パッドの吸収層により、ペット尿液を一度に比較的多く速く吸収できない場合、尿液が尿パッドの表面に拡散し、浸出する。
【考案の概要】
【考案が解決しようとする課題】
【０００３】
本考案の目的は、前記問題について、環形の瞬時吸引層付ペット用尿パッドを提供することにある。
【課題を解決するための手段】
【０００４】
本考案の目的は、以下の手段により実現される。
【０００５】
環形の瞬時吸引層付ペット用尿パッドは、層状構造の尿パッド主体を含み、前記尿パッド主体は、上から下に順に不織布被覆層と吸収層とを備え、前記吸収層に複数の同心環形の瞬時吸引層が等間隔に突起することを特徴とする。
【０００６】
その中で、前記環形の瞬時吸引層は、高分子吸水樹脂から構成される。
【０００７】
その中で、前記環形の瞬時吸引層の吸水能力は、吸収層の吸水能力よりも高い。
【０００８】
その中で、前記不織布被覆層は、吸収層の外縁にオーバーラップする。
【考案の効果】
【０００９】
本考案の有益な効果は、以下のことにある。
【００１０】
１）吸収層に複数の環形の瞬時吸引層が等間隔に突起させることにより、ペットの尿液が比較的多くて吸収できない場合、環形の瞬時吸引層が幾重にもの遮断作用を果たし、ペットの尿液を吸収層に限定させ、ペットの尿液が尿パッドの表面を拡散することを防止する。
【００１１】
２）吸収層に複数の環形の瞬時吸引層を等間隔に突起させるだけで、製造のコストを増加させることなく尿パッドの吸水能力を向上させる。
【図面の簡単な説明】
【００１２】
【図１】本考案の構造図である。
【図２】図１のＡ−Ａ断面図である。
【考案を実施するための形態】
【００１３】
以下、具体的な実施例及び図面を参照して、本考案についてより一層説明する。
【００１４】
図１及び図２の図示を参照して、本実施例の環形の瞬時吸引層付ペット用尿パッドは、層状構造の尿パッド主体を含む。尿パッド主体は、上から下に順に不織布被覆層１と吸収層２とを備え、不織布被覆層１は、吸収層２の外縁にオーバーラップする。吸収層２に複数の同心環形の瞬時吸引層３が等間隔に突起する。環形の瞬時吸引層３の吸水能力が吸収層２の吸水能力よりも高くなるように、環形の瞬時吸引層３は、具体的には高分子吸水樹脂からなる。このような構造により尿パッドの吸水能力を向上でき、吸収層の代りに高分子吸水樹脂を使用することに比べて、環形の瞬時吸引層の使用により製造のコストを増加させない。
【００１５】
使用の過程で、ペットの尿液は、一般的に尿パッドの中間位置に集中し、ペットの尿液が多過ぎて溜まる場合、幾重にもの環形の瞬時吸引層３が急速にペット尿液を吸収する作用を果たし、更にペット尿液の拡散を阻止する作用を果たし、ペットの尿液が環形の瞬時吸引層４内に制限され、ペットの尿液が尿パッドの表面を拡散することを有効に防止し、浸漏を回避する。このような構造は、吸収層２に複数の環形の瞬時吸引層３を設置するだけで、製品のコストを増加させず、尿パッドの吸水能力を大きく向上させることができる。
【図１】
0003206299.tif 000003
【図２】
0003206299.tif 000004
(57)【要約】      （修正有）【課題】平面視において任意の多角形状の容器を形成可能なムースフィルムを提供する。【解決手段】ムースフィルム１０は、細長矩形状の合成樹脂製の薄板に、短辺に平行な切込み１１を複数設けて構成した。また、ムースフィルム１０の端部に接着部１２を設けて構成した。【選択図】図１
0003206298.tif 000002
【実用新案登録請求の範囲】
【請求項１】
細長矩形状の合成樹脂製の薄板に、短辺に平行な切込みを複数設けたムースフィルム。
【請求項２】
端部に接着部を設けた請求項1に記載のムースフィルム。
【考案の詳細な説明】
【技術分野】
【０００１】
本考案はムースケーキ等を作る際に用いるムースフィルムに関し、より詳しくは様々な形状に形成可能なムースフィルムに関する。
【背景技術】
【０００２】
ムースケーキを作る際には、ムースフィルムを使用することが広く行われている。
【０００３】
図４は一般的なムースフィルムを示すのものである。ムースフィルム１は細長い矩形の合成樹脂製の薄板であり、端部に塗布された接着剤２により端部同士を接着可能に設けたものである。
【０００４】
図５は上記のよう構成されるムースフィルム１の使用状態を示すものであり、端部同士を接着することで円筒形の容器を形成するものである。かかる円筒形の容器の中にムーズケーキの材料を入れ、冷蔵庫で冷やすことでムースケーキを作るものである。
【０００５】
特許文献１には、紙製フィルムとＰＥＴフィルムとを貼り合わせてなる積層フィルムを使用し、周壁部と底部とからなる有底筒状のカップ型の容器に形成した、ムースケーキ等用の容器が開示されている。
【０００６】
特許文献２には、周壁部と底部とからなる有底筒状のカップ型の容器であって、周壁部の下端を内方に折曲して鍔部を形成するとともに、鍔部の端部に段部を形成してさらに内方へ延設し、この鍔部を樹脂フィルムを積層した紙シートで形成した上側の底紙および下側の底台で挟着して容器の底部を形成した、ムースケーキ等用の容器が開示されている。
【先行技術文献】
【特許文献】
【０００７】
【特許文献１】登録実用新案公報第３０６２５８６号
【特許文献２】登録実用新案公報第３０７９７６１号
【考案の概要】
【考案が解決しようとする課題】
【０００８】
従来のムースフィルムは、細長い矩形という形状ゆえに、図５に示すような円筒形の容器しか形成できないという難点があった。四角柱上の容器や、平面視ハート型の容器などは、予め当該形状に形成した容器を使用するほかなく、ムースフィルムを用いて所望形状に形成することは困難であった。
【０００９】
そこで本考案は、平面視において任意の多角形状の容器を形成可能なムースフィルムを提供することを目的とする。
【課題を解決するための手段】
【００１０】
上記の目的を達成する本考案の構成は次の通りである。
【００１１】
（１）  請求項１に記載の考案は、細長矩形状の合成樹脂製の薄板に、短辺に平行な切込みを複数設けて構成した。
【００１２】
（２）  請求項２に記載の考案は、請求項１記載のムースフィルムの端部に接着部を設けて構成した
【考案の効果】
【００１３】
上記のように構成される本考案が、如何に作用して課題を解決するかを図面を参照しながら概説する。
【００１４】
図１に示されるように、本考案にかかるムースフィルム１０には短辺に平行な切込み１１が複数設けられている。また、その端部に接着部１２が設けられている。この切り込み１１において折り曲げ、かつ、接着部１２で固定すること、図２に示すように四角柱状の容器を形成したり、図３に示すように三角柱状の容器を形成したり、その他任意の多角形状の容器を形成することが可能となるのである。
【００１５】
また、切り込み１１において、簡単に切り離すことが可能であり、容器の大きさにより、余分なムースフィルム１０を切除することが可能となるという効果も有する。
【００１６】
本考案にかかるムースフィルム１０は、ムースケーキを製作する場合に限定を受けるものではなく、容器に材料を入れて冷蔵その他の方法で固化する菓子類、料理類の製作にも利用可能なものである。
【図面の簡単な説明】
【００１７】
【図１】本考案の正面図
【図２】使用状態を示す説明図
【図３】使用状態を示す説明図
【図４】従来例の正面図
【図５】従来例に使用状態を示す説明図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
この考案に係るムースフィルム１０は、図１に示すように、図中左右方向に細長い矩形の合成樹脂製の薄板である。
【００２０】
このムースフィルム１０は、硬質かつ可撓性を有する合成樹脂、例えば、厚みが０．２ｍｍ〜０．４ｍｍ程度のＰＥＴ（ポリエチレンテレフタラート）樹脂フィルムやＰＰ（ポリプロピレン）樹脂フィルムを用いることが出来る。
【００２１】
上記ムースフィルム１０には、短辺に平行な方向、図１でいえば上下方向に複数の切込み１１が形成されている。この切込み１１に沿って折り曲げると、図２示す四角柱状の容器を形成したり、図３に示すように三角柱状の容器を形成することが出来る。
【００２２】
上記切り込み１１は、トムソン刃を埋め込んだトムソン型で打ち抜く、いわゆるトムソン加工によれば容易に形成可能である。
【００２３】
ムースフィルム１０の一方端部には、図１に示すように接着部１２が設けられている。接着部１２は食品包装用接着剤や、両面テープや粘着テープなどを利用可能である。
【符号の説明】
【００２４】
１０・・ムースフィルム
１１・・切り込み
１２・・接着部
【図１】
0003206298.tif 000003
【図２】
0003206298.tif 000004
【図３】
0003206298.tif 000005
【図４】
0003206298.tif 000006
【図５】
0003206298.tif 000007
(57)【要約】【課題】  本考案は、大，小幅の本，ノート類の縦横方向のいずれにも挟み掛けすることができるゴムバンド付きペンポーチを新規に提供することを課題とする。【解決手段】  本考案は、ペンポーチの一面に取付けるゴムバンドを２本に分けて形成し、両バンドの開放側にバンド輪を大小する分離可能なつなぎ留め手段を設けて、つなぎ留め位置をずらすことで本，ノートの幅の大小にゴムバンド輪を合わせてすべての本，ノート類にペンポーチを挟み掛けできるようにして、課題を解決する。【選択図】図２
0003206203.tif 000002
【実用新案登録請求の範囲】
【請求項１】
ペンポーチの一面に取付ける挟み掛け用のゴムバンドを中間にて分離自在につなぎ留めする２本に分けて形成し、この２本のゴムバンドのつなぎ留め位置をずらしてゴムバンド輪を大小することで，大幅，小幅の本，ノート類のすべてにペンポーチを挟み掛けすることができるようにしたことを特徴とするゴムバンド付きペンポーチ。
【請求項２】
中間のつなぎ留め手段は、雌雄の平面咬合ファスナー，雌雄の薄型スナップボタン，留め棒入りの四角枠形留め金具のいずれである請求項１に記載のゴムバンド付きペンポーチ。
【考案の詳細な説明】
【技術分野】
【０００１】
この考案はゴムバンド付きペンポーチ、詳しくは大小の本，ノートのいずれにも、また本，ノートの縦横のいずれの方向にも自由に挟み掛けすることができるようにしたゴムバンド付きペンポーチに関するものある。
【背景技術】
【０００２】
この種のペンポーチとしては意匠登録第１４３００３１号公報がある。この公報はペンケースの両端間に取付金物を用いて１本のゴムバンドを張設して、ペンケースをこの１本のゴムバンドにて、本，ノートなどに挟み掛けすることができるようにしたことを記載している。
【特許文献１】意匠登録第１４３００３１号公報
【考案の開示】
【考案が解決しようとする課題】
【０００３】
しかしながら、上記意匠はゴムバンドにゴム特有の伸縮作用があるとしても、１本によってその伸縮作用には限度があることから、本，ノートが大型のときは伸ばしても挟み掛けすることができず、また本，ノートが小型のときは挟み掛けが弛るんでペンケースを脱落させるおそれが生ずるという課題がある。
【課題を解決するための手段】
【０００４】
本考案は、ペンポーチの一面に取付ける挟み掛け用のゴムバンドを中間でつなぎ留めする２本に分けて形成し、２本のゴムバンドのつなぎ留め位置をずらすことでゴムバンド輪を大小して大幅，小幅の本，ノート類のすべてにペンポーチを挟み掛けすることができるようにして意匠の課題を解決するようにしたのである。
【考案の効果】
【０００５】
本考案は、ペンポーチを挟み掛けするゴムバンドを中間でつなぎ留めする２本に分けて形成したので、１本ではできなかったＡ４サイズの大幅の本，ノートから手帳などの小幅のものまで幅広くペンポーチを挟み掛けすることができるという効果を生ずる。
【０００６】
ゴムバンドを２本に分けたことで、ゴムバンドは過度に伸長させることなしに本，ノートに挟み掛けすることができるという効果を生ずる。
【０００７】
本，ノートの縦横のいずれの方向にもペンポーチを挟み掛けすることができるという効果を生ずる。
【０００８】
２本のゴムバンドの中間のつなぎ留め手段がゴムバンドに美的なアクセントをもたらすという効果を生ずる。
【図面の簡単な説明】
【０００９】
【図１】ペンポーチの２本のゴムバンドをつなぎ留める前の状態にて示す斜視図
【図２】同、（ａ）はゴムバンド輪を拡大する位置に２本のゴムバンドをつなぎ留めた状態を示す斜視図、（ｂ）は本の大幅の縦方向に挟み掛けした状態を示す斜視図、
【図３】同、（ａ）はゴムバンド輪を縮小する位置に２本のゴムバンドをつなぎ留めた状態を示す斜視図、（ｂ）は本の小幅の横方向に挟み掛けした状態を示す斜視図
【図４】つなぎ留め手段として、２本のゴムバンドの一方に雄の薄型スナップボタンを１個、他方に雌の薄型スナップボタンを複数個を設けた例を示す斜視図
【図５】つなぎ留め手段として、２本のゴムバンドの一方に留め棒の入った四角枠形の留め金具を取付け、他方のゴムバンドの端部を返し留めした状態例を示す斜視図
【符号の説明】
【００１０】
１はペンポーチ
２ａ，２ｂはゴムバンド
３ａ，３ｂは雌雄の平面咬合ファスナー
４ａ，４ｂは雌雄の薄型スナップボタン
５は留め具
５ａ，５ｂは留め棒
Ａはゴムバンド輪
Ｈは本，ノート，手帳
【考案を実施するための最良の形態】
【００１１】
本考案は、ペンポーチの一面に取付ける挟み掛け用のゴムバンドを中間で分離自在につなぎ留めする２本に分けて形成し、本，ノートが大幅のときはその分においてゴムバンド輪を広げてつなぎ留めして本，ノートに挟み掛け、また手帳など小幅のときは縮小した位置にずらしてつなぎ留めしてゴムバンド輪を手帳の幅に合わせて弛るむことなしに挟み掛けするようにしてゴムバンド付きのペンポーチを形成する。
【実施例１】
【００１２】
図１乃至図３は本考案の実施例であって、ペンポーチ１の長さ方向の両端に２本に分割したゴムバンド２ａ，２ｂの基端をそれぞれ取付け、ゴムバンド２ａ，２ｂの開放端側の相対面につなぎ留め手段として雌雄の平面咬合ファスナー３ａ，３ｂを設けて、雌雄の平面咬合ファスナー３ａ，３ｂの咬合によってペンポーチ１との間でゴムバンド輪Ａを形成して本，ノートＨにペンポーチ１を挟み掛け止めすることができるようにする。
【００１３】
本，ノートＨがＡ４版の縦方向など大幅のときは平面ファスナー３ａ，３ｂの咬合幅を小幅にずらし調整してゴムバンド輪Ａを拡げて対応させて挟み掛け、本，ノートＨの横方向，小幅な手帳などには咬合幅を大きくすることでゴムバンド輪Ａを狭くして弛るみを生ずることなしに挟み掛けすることができるようにする。
【００１４】
図４は平面咬合ファスナー３ａ，３ｂにかえて掛脱する雌雄の薄型スナップボタン４ａ，４ｂとしたものである。また図５は中間に留め棒５ａ，５ｂの入った四角枠形の留め金具５にゴムバンド２ｂを返し留めするようにしたものである。
【００１５】
いずれも１本のゴムバンドの伸縮作用の限度を超えて、本考案のゴムバンドは２本にしたことで大，小幅の本，ノート類のすべてに挟み掛けすることができるようになり、挟み掛けが弛るんで抜けて脱落することも生じないものとなる。
【００１６】
以上により本考案のペンポーチは本，ノートの横幅側のほか、幅広の縦長側に自由に挟み掛けすることができ、また幅の同じ本，ノートＨなどを複数冊重ねて厚みが増大した場合にも対応調整してブックバンドを兼ねて挟み掛けすることができるようになる。
【産業上の利用可能性】
【００１７】
本考案は大小幅の本，ノート類の縦横のいずれの方向にも挟み掛けすることができるゴムバンド付きペンポーチとして広く利用されるものである。
【図１】
0003206203.tif 000003
【図２】
0003206203.tif 000004
【図３】
0003206203.tif 000005
【図４】
0003206203.tif 000006
【図５】
0003206203.tif 000007
(57)【要約】      （修正有）【課題】顎を支えて首を楽にするもので、特に頭の状態を立った状態を維持し、気道を開いた状態にして、呼吸が通常より楽にできる顎サポータを提供する。【解決手段】顎を載せる緩衝材２からなる顎当接部１が該当接部１を支持する支持軸３の先端に固着され、該支持軸３は摺動可能に収納する収納部５の摺動溝１２に装着され、該収納部５の摺動溝１２には、支持軸３の下端と溝下端に介在するバネを持ち、顎が常時顎当接部１に当接可能で、睡眠時に首を常時垂れずにベルトで支持する。【選択図】図１
0003206218.tif 000002
【実用新案登録請求の範囲】
【請求項１】
顎を載せる緩衝材からなる顎当接部と該当接部を支持する支持軸の先に固着され、該支持軸は摺動可能に収納する収納部の溝に装着され、該収納部の摺動溝には、前記支持軸の下端と溝下端に介在するバネを持ち、顎が常時顎当接部に当接可能で、睡眠時に首を常時垂れずにベルトで支持することを特徴とする顎サポータに関する。
【考案の詳細な説明】
【技術分野】
【０００１】    本考案は、顎をサポートして、長時間の車や飛行機での睡眠、読書、パソコン操作、ベッドでの睡眠時には、人が立った状態に近い状態で顎をサポートするので、いわゆる気道が確保でき、また、少し下顎を前に突き出した状態で維持すると、意識が無い人の気道が確保できる、顎サポータに関する。
【背景技術】
【０００２】    従来、特に飛行機や車での長時間での睡眠時や長時間のパソコン操作では、通常首が垂れた状態を維持するので、肩や首が痛くなっていた。【０００３】また、通常の睡眠時では枕の高さがあるので、首は前に倒れた状態で睡眠するので、気道が狭くなった状態で、特に無呼吸症候群の人は、顎が小さいので、舌根沈下状態になり、睡眠時に呼吸が止まっていた。
【考案の概要】
【考案が解決しようとする課題】
【０００４】    本考案は、顎を支えて首を楽にするもので、特に頭の状態を立った状態を維持し、気道を開いた状態にして、呼吸が通常より楽にできるものである。
【課題を解決するための手段】
【０００５】本考案は、Ｔ字状の支持部で顎を支え、該軸を摺動可能に収納するケースからなり、該軸の底部端面と当接する圧縮ばねが収納されているので、顎と前記Ｔ字状支持材が常時当接状態とし、首と該Ｔ字状支持材が近接するベルトで、前記課題を解決するものである。
【考案の効果】
【０００６】    本考案は、このように構成されているため、前記Ｔ字状支持材がベルトで首に支持されているので、顎は下に下がらない状態で維持されている。【０００７】この状態は、いわゆる首に巻きつけるサポータと同様の効果を示すもので、顎だけをサポートするものである。【０００８】該顎を支えることにより、頭の重さが前記Ｔ字形支持材に載る形になるので、首に頭を支える補助となり首の負担がかなり軽減される効果が得られる。【０００９】また、枕を使っての睡眠時では、頭が少し前方に曲がった状態で睡眠するので、この状態では気道が少し狭くなった状態で、特に顎が小さいと舌が舌根沈下状態となっていることがあり、いわゆる無呼吸症候群がある場合、全く気道が塞がり、睡眠時に無呼吸状態を引き起こすことになり、ＣＰＡＰを使用していても十分な空気が肺に送り込まれ、前記ＣＰＡＰと併用して、より良い睡眠を得られる効果がある。【００１０】また、無意識で呼吸困難となる場合、顎をさらに上方に突き出した状態で維持する状態にすると気道の確保が出来る効果を得られる。
【図面の簡単な説明】
【００１１】
【図１】は、本考案の全体斜視図である。
【００１２】
【図２】は、本考案を正面から見た図である。
【００１３】
【図３】は、図２で示す正面図の左側面図である。
【００１４】
【図４】は、図２で示すＡ‐Ａ断面図である。
【００１５】
【図５】は、使用状態を示す参考図である。
【考案を実施するための形態】
【００１６】本考案を図面に従って、詳しく説明すると本考案全体１０は、顎を載せる例えばウレタンスポンジのような緩衝材２から成る山形のＬ字状のアングル材７にＬ字状の前記Ｌ字状の緩衝材２を貼着し、摺動軸３の先端がＬ字に屈曲した２０に固着されている。
【００１７】該摺動軸３の断面形状は、方形で緩やかにカーブ状の形状で、該摺動可能な溝１２を持つ収納部５に格納され、摺動軸３の下端３ａと前記溝１２の下端５ａの間に介在するバネ１３で緩衝作用の役目を果たす。
【００１８】該収納部５の上部に長孔１１を設け、前記摺動軸３にピン９を固着し、該ピン９は、長孔１１を摺動する。
【００１９】摺動軸３の上方の屈曲部３ｂにある貫通孔を持つ突起６は、図５に示すベルトＢを通す挿通孔である。
【００２０】前記収納部５の裏面には蓋板４で塞がれ、該蓋板４の下方には、胸に当接する半円形の緩衝材８が貼着されている。
【００２１】図５に示す使用状態では、本考案全体１０の摺動軸３を収納する収納部５の下端面５ｂをベルトＣで下から支え、また前記挿通孔を持つ突起６にベルトＢを通し、首に前記顎を乗せる緩衝材２とアングル材７からなる顎載せる顎当接材１で、顎と首に軽く当接した状態を示す。
【００２２】また、ベルトＣは前記ベルトＢがジョイントＪで固着されていて、該ベルトＢ及びＣは、面ファスナーからなり、人それぞれの首の太さが違うので、絞め具合の調整が可能である。
【００２３】また、該ベルトＢ及びＣは、伸縮製のものにするとより首や顎に前記顎当接材１が確実に当接することになる。
【００２４】以上は、一実施例を示すもので、顎と首に当接する当接部材を円柱状にすることも可能である。
【００２５】また、胸に当接する半円形の緩衝材８は、蓋板４全体に緩衝材を貼着しても良い。
【００２６】前記摺動軸３を摺動可能収納する溝１２の下端部５ａと摺動軸３の下端部３ａに介在するバネ１３を、スポンジのような可撓製の材料でも可能である。
【符号の説明】
【００２７】１・・・・・・顎当接材
３・・・・・・摺動軸
４・・・・・・裏蓋板
５・・・・・・摺動軸収納部
６・・・・・・ベルト通し
７・・・・・・アングル材
８・・・・・・胸当接緩衝材
９・・・・・・ピン
１０・・・・・本考案全体
１１・・・・・長孔
１２・・・・・摺動溝
１３・・・・・バネ
Ｂ、Ｃ・・・・面ファスナーベルト
【図１】
0003206218.tif 000003
【図２】
0003206218.tif 000004
【図３】
0003206218.tif 000005
【図４】
0003206218.tif 000006
【図５】
0003206218.tif 000007
(57)【要約】      （修正有）【課題】傘の形状を問わず、安定して傘を干すことが可能な傘干し用具を提供する。【解決手段】傘干し用具１は、固定物２００（例えば、物干し竿等）に係止可能な係止部１０と、係止部１０に一端が接続され、他端が下方に延びる接続部２０と、接続部２０の他端に接続され、筒状の網である網部３０と、を備え、網部３０は、上端が接続部２０に接続され、下端に傘の露先が挿入可能な挿入部３２が複数設けられている。【選択図】図２
0003206233.tif 000002
【実用新案登録請求の範囲】
【請求項１】
固定物に係止可能な係止部と、
係止部に一端が接続され、他端が下方に延びる接続部と、
接続部の他端に接続され、筒状の網である網部と、を備え、
網部は、上端が接続部に接続され、下端に傘の露先が挿入可能な挿入部が複数設けられている傘干し用具。
【考案の詳細な説明】
【技術分野】
【０００１】傘干し用具に関する。【０００２】従来フック部５を備え、石突部２に脱着できる構造を備えた傘用吊り下げ具で中央部に概円錐状の穴を設け、異なる形状の石突き部及び傘の柄部に装着でき、石突き部及び柄部及び傘内部支柱を挟むように締め付け固定することを備える、フック部を吊り下げフック１の内部に収納可能で、傘の石突き部近くに紐状の係止具を備え、吊り輪を形成できる構造とする傘用吊り下げ具が開示されている。
（特許文献１参照）。
【先行技術文献】
【特許文献】
【０００３】
【特許文献１】実用新案登録３１８２１８８１号公報
【考案の概要】
【考案が解決しようとする課題】
【０００４】しかしながら、特許文献１の傘用吊り下げ具は、傘の石突き部の形状によっては、フック１に取り付けられない場合もある。また、特許文献１の傘用吊り下げ具は、傘の先端を固定しているのみなので、風等に煽られた場合大きく揺れ、干している傘が落下するおそれもある。【０００５】本発明は、傘の形状を問わず、安定して傘を干すことが可能な傘干し用具を提供することを目的とする。
【課題を解決するための手段】
【０００６】本発明の傘干し用具は、固定に係止可能な係止部と、
係止部に一端が接続され、他端が下方に延びる接続部と、
接続部の他端に接続され、筒状の網である網部と、を備え、
網部は、上端が接続部に接続され下端に傘の露先が挿入可能な挿入部が複数設けられている。【０００７】本発明によれば、傘の形状を問わず、安定して傘を干すことが可能な傘干し用具を提供できる。
【図面の簡単な説明】
【０００８】
【図１】本考案の実施形態に係る傘干し用具の使用状態を示す図である。
【図２】本考案の実施形態に係る傘干し用具の構成を説明する図である。
【図３】本考案の実施形態の変形例に係る傘干し用具の構成を説明する図である。
【考案を実施するための形態】
【０００９】本発明の実施形態に係る傘干し用具１は、固定物２００（例えば、物干し竿等）に係止可能な係止部１０と、係止部１０に一端が接続され、他端が下方に延びる接続部２０と、接続部２０の他端に接続され、筒状の網である網部３０と、を備え、網部３０は、上端が接続部２０に接続され、下端に傘１００の露先が挿入可能な挿入部３２が複数設けられている。
本実施形態において、接続部２０は、複数の紐から成り、中間部分に複数の紐が挿通され、中心に傘１００の石突きが挿入される安定部材４０が設けられている。
【００１０】また、図３に示す本実施形態の変形例では、接続部２０は、網状体で形成されている。
【００１１】傘干し用具１を使った傘１００の干し方について説明する。
先ず安定部材４０の中心の穴に石突を通し、複数の紐２０をまとめて持ち袋の先端に設けられているリング３２に露先を通し、袋３０が抜け落ちないように固定する。紐２０を引き上げ係止部１０でマジック付ベルトなどにより竿に安定させ吊るす。
【００１２】傘を大きく広げないためのスカート状、或いは傘形状の袋の中で半開き状になる大きさの袋に入れ、紐２０で吊るして干す。
網部３０の下端には、傘が抜け落ちないようにリング形状の挿入部３２を付け露先に引っ掛けられるようにする。
且つ袋の上端には紐２０を付け、更に紐を一纏めにしながら、竿に吊るすための滑り止め付きベルトである停止部１０を装着させてある。
ベルトの先端部は竿に取り付けやすいすマジックテープなどを取り付けて左右をあわせて吊るすようにしてある。
【００１３】詳細には本実施形態の傘干用具１によれば、以下の作用効果を奏する。
飛んでいくのを防ぐことができる。
滑り止め付きベルトで竿に固定し吊るすことができる・
干す場所の面責の縮小になる。
傘を大きく広げないで干せる。
傘の中で半開き状態で干せる。
従来傘を干す場合、竿に吊るした、玄関内、風呂場に広げて干していた。それでは飛んでしまったり、場所をとってしまう。これらの不便さを解消できる。
【符号の説明】
【００１４】    １  傘干し用具
１０  係止部
２０  （紐）接続部
３０  （袋）網部
３１  網部本体
３２  （リング）挿入部
４０  安定部材
１００  傘
２００  竿（固定物）
【図１】
0003206233.tif 000003
【図２】
0003206233.tif 000004
【図３】
0003206233.tif 000005
(57)【要約】      （修正有）【課題】モーター保護装置の構造を提供する。【解決手段】主にモーター外ケース１１で構成するモーター保護装置の構造であり、モーターがベストな保護効果を具有する。モーター外ケース１１は一つの保護ケース２０を設けて覆う。該保護ケース２０の内部は、複数本の間隔を開けて排列するリブ２１、溝２２を具有し、耐力強度が増す効果を形成する。よって、強大な外力による衝撃でもモーター外ケース１１がダメージを受けることがない。また、保護ケース２０によって外ケース１１は完全に密封するため、水中での使用は水の浸入を防止し、水、電気のある環境での使用では、過度の低温によりモーターの作動に影響を及ぼすことがないため、ベストな実用効果を具有する。【選択図】図１
0003206099.tif 000002
【実用新案登録請求の範囲】
【請求項１】
モーター外ケースを含み、
該モーター外ケースは一つの保護ケースを設けて覆い、該保護ケースは耐力強度が大きいプラスティック材料で作られ、該保護ケースの内部は、複数本の間隔を開けて排列するリブ、溝を具有することを特徴とするモーター保護装置。
【請求項２】
前記保護ケースはモーター本体に螺合し、該保護ケースとモーター本体の間に、漏れ止めワッシャーを設け、水が保護ケースに浸入するのを防止することを特徴とする請求項１記載のモーター保護装置。
【請求項３】
前記該保護ケースの後端に凸部を具有し、電線を通し、且つ一つの漏れ防止ブロックを設けて凸部に組合せることで、凸部が通る電線の部分は水が浸入するのを防止することを特徴とする請求項１記載のモーター保護装置。
【考案の詳細な説明】
【技術分野】
【０００１】
本考案は一種のモーター保護装置の構造に関し、モーターの外部に保護装置を具有することで、比較的大きな外力による衝突に耐えることができ、水が染み入るのを防止するモーター保護装置の構造に関する。
【背景技術】
【０００２】
従来技術のモーター構造の殆どは、一つのモーター本体に外ケースを具有して覆うように設けるのが多く、該外ケースの殆どが金属ケースを採用する。該外ケースを介して内部のコイルを守り、人員がコイルに誤って接触するのを防止する。上述の構造は、確かに下記の欠点が存在する：(１)衝撃を受けた際、金属外ケースは凹む問題があり、内部のコイルを破壊するほど凹むこともある。(２)外ケースは防水の効果を具有しないため、水或いは外物による侵入問題があり、水中での使用は不適切である。(３)水と電気のある環境で使用する場合、該金属外ケースは低温を伝導しやすく、モーターの作動に影響を及ぼす。(４)金属外ケースは腐蝕性の化学物質によって浸食される。
【０００３】
また、従来技術の「浸水モーター」の金属外ケースは、モーターを密閉するコイルを呈し、水が入るのを防止することができるため、水中で適用する。但し、尚も下記の欠点が存在する：(１)衝撃が加えられた場合、その金属外ケースは尚も凹み、漏れ防止効果が無くなる。(２)水と電気のある環境で使用する場合、金属外ケースは尚も低温を伝導しやすく、モーターの作動に影響を及ぼすなどを鑑みて、更なる改善が必要であった。
【先行技術文献】
【特許文献】
【０００４】
【特許文献１】特開2006-161708号公報
【考案の概要】
【考案が解決しようとする課題】
【０００５】
前記公知構造の欠点を解決するため、本考案はモーター保護装置を提供することを主な課題とする。
【課題を解決するための手段】
【０００６】
前記課題を解決するために、本考案はモーター保護装置の構造を提供するものである。モーター外ケースに一つの保護ケースを設け、該保護ケースは一つの漏れ止めワッシャーと合わせてモーター本体に螺合し、及び外ケースを包むことで、水の浸入を防止する密封効果を形成する。また、該保護ケースの内部は、複数本の間隔を開けて排列するリブ、溝を具有するよう設ける。該保護ケースは耐力強度が大きいプラスティック材料で作られるため、強大な衝撃を受けても破裂せず、低温が外ケースに伝わるのを遮断し、水と電気のある環境でも適用する。
【考案の効果】
【０００７】
本考案の構造により、強大な外力による衝撃でもモーター外ケースがダメージを受けることがない。また、保護ケースによって外ケースは完全に密封するため、水中での使用は水の浸入を防止する。水、電気のある環境での使用では、過度の低温によりモーターの作動に影響を及ぼすことがないため、本考案はベストな実用効果を具有する。
【図面の簡単な説明】
【０００８】
【図１】本考案の構造立体分解図である。
【図２】本考案の組合立体図である。
【図３】本考案の組合側面断面図である。
【考案を実施するための形態】
【０００９】
以下、本考案の構造と特徴および効果を、最良実施例と図面を参照しながら詳細に説明する。
【実施例】
【００１０】
図１、図２及び図３に示すように、一つのモーター外ケース１１は一つの保護ケース２０を設けて覆う。該保護ケース２０はネジ１３を使ってモーター本体１０に螺合し、該保護ケース２０とモーター本体１０の間に、漏れ止めワッシャー１２を設け、該保護ケース２０は耐力強度が大きいプラスティック材料で作られる。該保護ケース２０の内部は、複数本の間隔を開けて排列するリブ２１、溝２２を具有するよう設ける。該保護ケース２０の後端に凸部２３を具有し、電線２４を通し、且つ一つの漏れ防止ブロック２５を設けて凸部２３に組合せ、密封を形成し、水の浸入を防止する。
【００１１】
上記の装置、構造により、下記の効能とメリットが得られる：
【００１２】
(１)モーター外ケース１１の外周に保護ケース２０を具有して覆って保護する。よって、腐蝕性のある化学物質が直接外ケース１１を腐蝕するのを防止することができるほか、衝撃を受け止められ、外ケース１１がベストな保護効果を得られるようにしている。
【００１３】
(２)該保護ケース２０に複数本のリブ２１を設けることで、保護ケース２０は耐力強度が増し、強大な衝撃を受けても破裂しにくい。
【００１４】
(３)該保護ケース２０に複数本の溝２２を設け、保護ケース２０と外ケース１１の間に隙間ができ、低温がモーター外ケース１１にまで伝導するのを遮る。よって、水と電気のある低温の環境において、モーターの作動に影響する低温をベストな方法で防止することができる。
【００１５】
(４)保護ケース２０とモーター本体１０の間に、漏れ止めワッシャー１２を具有し、水の浸入を防ぐため、水中でも適用する。
【００１６】
保護ケース２０の後端に凸部２３及び漏れ防止ブロック２５を具有することで、電線２４の部分でも水が浸入するのを防止することができる。
【符号の説明】
【００１７】
１０  モーター本体
１１  外ケース
１２  漏れ止めワッシャー
１３  ネジ
２０  保護ケース
２１  リブ
２２  溝
２３  凸部
２４  電線
２５  漏れ防止ブロック
【図１】
0003206099.tif 000003
【図２】
0003206099.tif 000004
【図３】
0003206099.tif 000005
(57)【要約】      （修正有）【課題】ボックス本体が華やかで立体ビジュアルな美しさを表すことができ、お洒落な衣服と合わせたファッショナブルなものとなり、付加価値を高める、模様スーツケースの構造を提供する。【解決手段】主に一つのボックス本体で構成する模様スーツケースの構造であり、ボックス本体に内層２、模様層３及び外層４を設ける。内層、模様層及び外層はホットプレスの方法で三つを一体に成形する。内層の前方に一つの表面を設け、内層は硬い材質とする。模様層に飾り模様を設け、模様層の材質は生地である。外層の後方に一つの内面を設け、外層は透明の材質とする。外層のプロテクトにより、模様層がぶつかる或いは摩擦によって損壊するのを避けることができ、更に模様層の飾り模様を透視することができる。【選択図】図１
0003206098.tif 000002
【実用新案登録請求の範囲】
【請求項１】
一つのボックス本体を含み、
該ボックス本体に含まれるのは内層、模様層及び外層であり、
該内層は前方に一つの表面を設け、
該模様層は該内層の表面と組合せ、該模様層に飾り模様を設け、
該外層は該模様層の飾り模様と組合せ、該外層の後方に一つの内面を設けることを特徴とする模様スーツケースの構造。
【請求項２】
前記該内層、該模様層及び該外層はホットプレスの方法で三つを一体に成形し、該内層は硬い材質とし、該模様層の材質は生地であり、該外層は透明の材質とすることを特徴とする請求項１記載の模様スーツケースの構造。
【考案の詳細な説明】
【技術分野】
【０００１】
本考案は模様スーツケースの構造に関し、特に一つのボックス本体を設け、該ボックス本体に内層、模様層及び外層を設ける。該内層、該模様層及び該外層はホットプレスの方法で三つを一体に成形する。該内層の前方に一つの表面を設け、該内層は硬い材質とする。該模様層に飾り模様を設け、該模様層の材質は生地である。該外層の後方に一つの内面を設け、該外層は透明の材質とする。このように、該外層のプロテクトにより、該模様層がぶつかる或いは摩擦によって損壊するのを避けることができ、更に該模様層の飾り模様を透視することができることにより、該ボックス本体が華やかで立体ビジュアルな美しさを表すことができ、お洒落な衣服と合わせたファッショナブルなものとなり、スーツケースの付加価値を高める模様スーツケースの構造に関する。
【背景技術】
【０００２】
従来のスーツケースはほぼ一体成形したボックス本体であり、単一色の模様であるため、ぶつかる或いは摩擦により損壊しやすいだけでなく、華やかで立体ビジュアルな美しさを表すことができず、更にお洒落な衣服に合わせたファッショナブルな感じに追いつけないなど、スーツケースの外形の質感に制限が加えられ、消費者の購入意欲を下げ、その付加価値にも影響を与えることを鑑みて、更なる改善が必要であった。
【先行技術文献】
【特許文献】
【０００３】
【特許文献１】実用新案登録第3110153号公報
【考案の概要】
【考案が解決しようとする課題】
【０００４】
前記公知構造の欠点を解決するため、本考案は該外層のプロテクトにより、該模様層がぶつかる或いは摩擦により損壊するのを避けることができ、更に該模様層の飾り模様を透視することができることにより、該ボックス本体が華やかで立体ビジュアルな美しさを表すことができ、お洒落な衣服を合わせたファッショナブルなものとなり、スーツケースの付加価値を高める。
【課題を解決するための手段】
【０００５】
前記課題を解決するために、本考案は模様スーツケースの構造を提供するものである。本考案の主な特徴は、含まれるのは内層、模様層及び外層であり、該内層は前方に一つの表面を設ける。該模様層は該内層の表面と組合せ、該模様層に飾り模様を設ける。該外層は該模様層の飾り模様と組合せ、該外層の後方に一つの内面を設ける。
【０００６】
本考案の模様スーツケースの該内層、該模様層及び該外層はホットプレスの方法で三つを一体に成形する。該内層は硬い材質とし、該模様層の材質は生地であり、該外層は透明の材質とする。
【考案の効果】
【０００７】
本考案の構造により、該ボックス本体が華やかで立体ビジュアルな美しさを表すことができ、お洒落な衣服と合わせたファッショナブルなものとなり、スーツケースの付加価値を高める。
【図面の簡単な説明】
【０００８】
【図１】本考案の実施例の立体分解図である。
【図２】本考案の実施例の組合せ断面図である。
【図３】本考案の実施例の使用略図である。
【考案を実施するための形態】
【０００９】
以下、本考案の構造と特徴および効果を、最良実施例と図面を参照しながら詳細に説明する。
【実施例】
【００１０】
本考案の実施例は、図１に示すように、主に一つのボックス本体１を設け、該ボックス本体１に内層２、模様層３及び外層４を設ける。その中、該内層２の前方に一つの表面を設け、該内層２は硬い材質とする。該模様層３に飾り模様３０を設け、該模様層３の材質は生地である。該外層４は該模様層３の飾り模様３０と組合せ、該外層４の後方に一つの内面４０を設け、該外層４は透明の材質とする。
【００１１】
組み合わせて使用する際、図１から図３に示すように、該内層２、該模様層３及び該画位相４をホットプレスの方法で三つを一体に成型することで、該模様層３を該内層２の表面２０に組合せ、該外層４の内面４０は該模様層３の飾り模様３０と組み合わせる。このように、該外層のプロテクトにより、該模様層３がぶつかる或いは摩擦によって損壊するのを避けることができ、更に該模様層３の飾り模様３０を透視することができることにより、該ボックス本体が華やかで立体ビジュアルな美しさを表すことができ、お洒落な衣服と合わせたファッショナブルなものとなり、スーツケースの付加価値を高める。
【００１２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１３】
１  ボックス本体
２  内層
２０  表面
３  模様層
３０  飾り模様
４ 外層
４０   内面
【図１】
0003206098.tif 000003
【図２】
0003206098.tif 000004
【図３】
0003206098.tif 000005
(57)【要約】      （修正有）【課題】摩耗、騒音の発生を低減した歯車を提供する。【解決手段】動作時の歯と歯の接触面を広くできる様、半球面形の突起１と、これに噛み合う半球面形の溝２の組み合わせとした。これにより、突起１が溝２の内面壁を滑る様に噛み合い、離れる。これが円滑な回転動作を生じて、極部摩耗を防ぎ、騒音の発生を低減できるものである。【選択図】図３
0003206081.tif 000002
【実用新案登録請求の範囲】
【請求項１】
一対の歯車の一方の噛み合い部に半球面形の突起、他方の噛み合い部には前記突起に噛み合う半球面形の溝を配した歯車装置。
【請求項２】
双方の前記歯車の噛み合い部に、前記突起と前記溝を交互に配した構造である、請求項１に記載の歯車装置。
【請求項３】
前記歯車の円周面を回転軸に対して傾斜させ、この傾斜した前記円周面に前記突起又は前記溝を配した、請求項１または２に記載の歯車装置。
【請求項４】
一方の前記歯車が前記突起又は前記溝を横面に配し、他方の前記歯車が前記突起又は前記溝を円周面に配し、双方の歯車の回転軸が直角に向き合う、請求項１または２に記載の歯車装置。
【請求項５】
前記突起が取り外し可能な球形体で構成される、請求項１〜４項のいずれか１項に記載の歯車装置。
【考案の詳細な説明】
【技術分野】
【０００１】  本考案は、新しい歯車装置に関するものである。
【背景技術】
【０００２】  従来用いられている歯車は、歯車本体外周部の噛み合い部が、紡錘形の歯部位で噛み合い、動作する。【０００３】  このような従来の歯車のものでは、主に歯の端部が擦り合うため、歯先、歯腹部の摩耗が激しく、この部位から騒音も発生していた。
【考案の概要】
【考案が解決しようとする課題】
【０００４】  以上に述べたように、従来の歯車では、摩耗が激しいため、寿命が短く、騒音も大きく周辺に発散していた。【０００５】  本考案は、以上のような不具合である、摩耗、騒音の発生を低減した歯車を提供する事を目的とする。
【課題を解決するための手段】
【０００６】  上記目的を達成するために、本考案は、歯車の噛み合い部を、半球面形の突起と溝を配置した構造とし、一方の歯車の溝に他方の歯車の突起が噛み合い、回転動力を伝達するような構造の歯車としている。
【考案の効果】
【０００７】  以上の説明から明らかなように、本考案にあっては、以下のような効果が得られる。【０００８】  噛み合い部の半球面形の突起が、歯車の回転により、他方の歯車の溝の球面状内面壁を滑るように噛み合わさり、離れる。この突起と溝の接触面が、噛み合い部全体にわたることになり、部分的摩耗や極部的接触により発生する騒音なども低減し、円滑な回転動作の伝達を可能とするものである。
【図面の簡単な説明】
【０００９】
【図１】  本考案の実施形態１の正面断面図
【図２】  （Ａ）本考案の実施形態２の正面断面図、（Ｂ）本考案の実施形態２の平面図
【図３】  本考案の実施形態２の斜視図
【図４】  （Ａ）本考案の実施形態３の斜視図、（Ｂ）本考案の実施形態３の変形例を示す斜視図
【図５】  本考案の実施形態４の斜視図
【図６】  （Ａ）本考案の実施形態５の斜視図、（Ｂ）本考案の実施形態５の部分断面図
【考案を実施するための形態】
【００１０】  以下、本考案の実施の形態を図に基づいて説明する。
（実施形態１）
図１は、本考案の実施形態１の正面断面図であって、半球面形の突起１を配置した歯車３ａと、半球面形の溝２を配置した歯車３ｂを組み合わせた形態で、一方の歯車３ａの突起１が他方の歯車３ｂの溝２にはまり、回転動作を伝達するものである。
（実施形態２）
図２は、本考案の歯車の実施形態２の正面断面図と平面図であって、（Ａ）は突起１と溝２を交互に配置した２つの歯車１０３で一対をなす組み合わせを示したものであり、（Ｂ）はこの状態の平面図である。図３は、この実施形態２に関わる歯車１０３を斜視図であらわしたものである。
（実施形態３）
図４は、本考案の歯車の実施形態３の斜視図であって、（Ａ）は円周面が回転軸４に対して傾斜しており、双方の歯車２０３ａ、２０３ｂの円周面を向かい合わせで用いた形態であり、（Ｂ）は一方の歯車２０３ａを反対向きとし、両回転軸４間に交差角をつけて用いる形態である。尚、一方の歯車２０３ａを突起１のみ、他方の歯車２０３ｂを溝２のみの組み合わせで用いても良い。また、一方の歯車２０３ａに円周面に傾斜をしていないものを組み合わせることもできる。
（実施形態４）
図５は、本考案の歯車の実施形態４の斜視図であって、一方の歯車３０３ａの噛み合い部の溝２を横面に配置することにより、他方の歯車３０３ｂが直角に向いて、回転方向を変えて動力を伝達するものである。また、この横面の噛み合い部は同心円で何列か設けることにより、これに噛み合う歯車３０３ｂを移動させることで、変速機の主要構成装置となる。尚、歯車３０３ａの横面の噛み合い部を突起１のみ、他方の歯車３０３ｂを溝２のみとする組み合わせでも良く、歯車３０３ａ、３０３ｂ双方に突起１と溝２を交互に配したもので組み合わせても良い。
（実施形態５）
図６は、本考案の歯車の実施形態５の斜視図（Ａ）と部分断面図（Ｂ）であって、突起１は球形体６を溝２の底面に設けたねじ穴７に螺子５により組付ける脱着可能な形態を表したものである。歯車本体４０３は、球形体６の組付け方により、３種類の用い方がある。球形体６を用いない溝２だけのもの、球形体６を溝２すべてに組付けたもの、球形体６を１つおきに組付けたものである。この球形体６の脱着交換を行う事で、歯車本体４０３を延長して使用することが可能となり、経済的効果を持たせられる。
【符号の説明】
【００１１】  １  突起
２  溝
３ａ  歯車
３ｂ  歯車
１０３  歯車
２０３ａ  歯車
２０３ｂ  歯車
３０３ａ  歯車
３０３ｂ  歯車
４０３  歯車本体
４  回転軸
５  螺子
６  球形体
７  ねじ穴
【図１】
0003206081.tif 000003
【図２】
0003206081.tif 000004
【図３】
0003206081.tif 000005
【図４】
0003206081.tif 000006
【図５】
0003206081.tif 000007
【図６】
0003206081.tif 000008
(57)【要約】      （修正有）【課題】高さの調節を可能にし、頸椎や肩の保護に役立つ枕を提供する。【解決手段】本体枕１の左右に補助枕２、３を設け、枕の高さをより高くしたいときに、補助枕２または３を本体枕の上に重ね、或いは二枚同時に重ねることにより、枕の高さの調節を行うことが可能となり、首や肩を痛めることを防止することに役立つ。【選択図】図３
0003206085.tif 000002
【実用新案登録請求の範囲】
【請求項１】
本体枕の左右にそれぞれ異なる厚さをもった補助枕を設けることを特徴とし、本体枕の高さの必要に応じて左右の補助枕を本体枕の上に重ね、或いは下に差し込むことによって本体枕の高さの調節を可能とする枕。
【考案の詳細な説明】
【技術分野】
【０００１】  本考案は、本体枕の左右両側に補助枕を設けた、枕に関するものである。
【背景技術】
【０００２】  従来、枕は、単体である本体枕のみで使用してきたが、本体枕の高さは一定しているため、より高さを必要とする場合には、不便であった。
【先行技術文献】
【０００３】
【特許文献】
【非特許文献】
【０００４】
【考案の概要】
【考案が解決しようとする課題】
【０００５】  単体である本体枕は、使用者の体に適したものが選ばれるはずであるが、好みなども加わり、常に枕の高さが体に適したものになっているとは限らない。低過ぎたりする場合がある。このような場合、高さを調節するため、バスタオル等をたたんで枕の上に乗せたり、下に差し入れたりして調節している。
また、側臥位の体位をとる場合、仰臥位の場合には高さが適していても、肩幅の分だけ枕の高さが必要となる。この場合、周辺にある物を枕の上に乗せて、または下に差し入れて高さを調節してきた。
本考案は、従来の単体である本体枕の以上のような問題点を解決するものである。
【課題を解決するための手段】
【０００６】  本考案は、本体枕の左右両側に補助枕を設け、一方の補助枕のみを、または双方を同時に本体枕の上に乗せ、或いは下に差し入れることによって、従来の単体枕の高さに関する課題を解決する。
【考案の効果】
【０００７】  上述のように、枕の高さを調節出来る物が周辺に存在しない場合においても、本考案は、本体枕の左右に設けた補助枕によって、高さの調節を可能にし、よって、頸椎、肩の保護に役立つことを特徴とする。
【図面の簡単な説明】
【０００８】
【図１】  本考案の平面図である。
【図２】  本考案の断面図である。
【図３】  図ａ  本考案の左側補助枕の実施例を示す正面図である。図ｂ  本考案の左右両側の補助枕を同時に使用した実施例を示す正面図である。
【考案を実施するための形態】
【０００９】  本考案は、一定の高さを持つ本体枕に補助枕の厚さがプラスされて高さを調節することを目的とするものであり、実施形態は、左右の補助枕の一方または双方を本体枕の上に重ねるか、或いは下に差し込むかすることによって行うことができる。
補助枕の厚さは、左右それぞれ異なる方が多様に調節できる。
また、仰向きの仰臥位をとる場合には、左右の補助枕を本体枕から取り除くことによって元の枕の高さに戻すことが容易である。
【実施例】
【００１０】  以下、添付図面に従って実施例を説明する。［図１］は、本考案の本体枕を中心にして左右の補助枕を広げた状態を真上から見た全体であり、本体枕と左右の補助枕の間は薄い帯で継がれている。［図２］は、本体枕と左右の補助枕を広げた状態を縦に切断したもので、補助枕は、それぞれ異なるが一定の厚さをもった素材で形成される。通常は、本体枕のみが使用されるが、より高さを必要とする場合に［図３］のように左右の補助枕が使用される。
［図３］の［図ａ］は、左の補助枕を本体枕の上に乗せて使用した場合である。また違う高さを必要とするなら、厚さの違う右の補助枕を同じく本体枕に乗せて使用することができる。
［図ｂ］は、より高さを必要とする場合に、左右の補助枕を同時に本体枕の上に重ね合わせて実施した場合である。同じことは、本体枕の下に差し込んで実施することもできる。
【符号の説明】
【００１１】  １  本体枕
２  左補助枕
３  右補助枕
４  継ぎ帯
【図１】
0003206085.tif 000003
【図２】
0003206085.tif 000004
【図３】
0003206085.tif 000005